(57)【要約】【課題】予約炊飯を行う場合の操作を簡単で判りやすく使い易いものにするとともに、コストの安い炊飯器を提供する。【解決手段】予約時刻設定モード切替手段である予約キー１２と、予約時刻を設定する予約時刻設定手段である予約時刻設定ダイヤル１４と、電波で現在時刻情報を受信する電波受信手段３０６と、制御手段９を備え、前記予約時刻設定モード切替手段である予約キー１２で予約時刻設定モードに切り替え、前記予約時刻設定手段である予約時刻設定ダイヤル１４で予約時刻を設定し、前記電波受信手段３０６で受信した現在時刻情報と前記予約時刻設定ダイヤル１４で設定した予約時刻とを比較して予約した時刻に炊き上がり又は炊飯を開始するように制御手段９で制御する。【選択図】図２
2007215888.tif 000002
【特許請求の範囲】
【請求項１】
予約時刻設定モード切替手段と、予約時刻を設定する予約時刻設定手段と、電波で現在時刻情報を受信する電波受信手段と、制御手段を備え、前記予約時刻設定モード切替手段で予約時刻設定モードに切り替え、前記予約時刻設定手段で予約時刻を設定し、前記電波受信手段で受信した現在時刻情報と前記予約時刻設定手段で設定した予約時刻とを比較して予約した時刻に炊き上がり又は炊飯を開始するように制御手段で制御することを特徴とする炊飯器。
【請求項２】
前記予約時刻設定手段は予約時刻設定ダイヤルで設定するように構成したことを特徴とする請求項１記載の炊飯器。
【発明の詳細な説明】
【技術分野】
【０００１】
本発明は、予約時刻設定機能を有した炊飯器に関するものである。
【背景技術】
【０００２】
従来の炊飯器は制御回路にマイクロコンピュータが搭載され、炊飯器本体の前面上部に操作キーと液晶表示器を備え、予約した時刻に炊飯を終了したり炊飯を開始する予約炊飯が可能であり、制御回路に時計を有し、現在時刻の修正と予約時刻の設定をキー操作して所望の炊飯開始時刻や炊飯終了時刻を液晶表示器に表示させて設定することができるものである（例えば、特許文献１参照）。
【０００３】
【特許文献１】特開２００１−１９８００５号公報
【発明の開示】
【発明が解決しようとする課題】
【０００４】
しかしながら、上記の従来技術における炊飯器は、現在時刻の修正や予約時刻の設定に必要なキー操作の回数が多いので操作が煩雑で使いづらいという問題点を有していた。
【０００５】
本発明は上記従来の問題点を解消するもので、予約炊飯を行う場合の操作を簡単で使い易いものにするとともに、コストの安い炊飯器を提供することにある。
【課題を解決するための手段】
【０００６】
本発明は上記の問題を解決するためになされたものであり、請求項１では予約時刻設定モード切替手段と、予約時刻を設定する予約時刻設定手段と、電波で現在時刻情報を受信する電波受信手段と、制御手段を備え、前記予約時刻設定モード切替手段で予約時刻設定モードに切り替え、前記予約時刻設定手段で予約時刻を設定し、前記電波受信手段で受信した現在時刻情報と前記予約時刻設定手段で設定した予約時刻とを比較することにより予約した時刻に炊き上がり又は炊飯を開始するように制御手段で制御するものである。
【０００７】
また、請求項２では前記予約時刻設定手段は予約時刻設定ダイヤルで設定するように構成したものである。
【発明の効果】
【０００８】
本発明の炊飯器は、上記のように構成したことにより、電波受信手段による現在時刻情報と予約時刻設定ダイヤルで設定された予約時刻を常時比較して、予約時刻に達したら炊飯を開始するように加熱手段が制御されるため、煩雑な現在時刻の修正操作や予約時刻の設定操作をキー操作する必要が無く、簡単で使い易いものにすることができる。
【０００９】
また、電波受信手段と予約時刻設定ダイヤルを設けたことにより、時刻を表示する表示手段を設けなくとも予約炊飯が可能となるため、制御回路が簡単になり、コスト低減ができる。
【発明を実施するための最良の形態】
【００１０】
以下、本発明の一実施例を図１〜図４を参照して説明する。
【００１１】
図１は本発明の一実施例を示す炊飯器の縦断面図であり、１は本体、２は内鍋、３はフタ、４はシールパッキン、５は蒸気口、６は底誘導加熱手段、７は側面誘導加熱手段、８は本体１前面に設けられた操作部、９は制御手段、１０は温度センサである。
【００１２】
次にその具体的構成について説明する。本体１内には内鍋２が着脱自在に挿入され、本体１の上面には本体１と内鍋２の上部開口を覆うフタ３を開閉自在に設けている。フタ３には内鍋２の上端と密接するシールパッキン４と、シールパッキン４で閉塞される内鍋２内の空間と外部を結ぶ唯一の通路となる蒸気口５が設けてある。本体１内の下部と側部には、底誘導加熱手段６と側面誘導加熱手段７が設けられ、これらと対向する内鍋２の部位を誘導加熱する。
【００１３】
また、本体１内の下部には温度センサ１０が設けられ、内鍋２の底部に当接して制御手段９に内鍋２底部の温度情報を入力している。そして操作部８の操作によって制御手段９は底誘導加熱手段６，側面誘導加熱手段７の加熱を制御して自動的に火加減して炊飯を行う。
【００１４】
図２は炊飯器の操作部８の正面図であり、１１は炊飯キー、１２は予約時刻設定モード切替手段である予約キー、１４は予約時刻設定手段である予約時刻設定ダイヤルで、予約した時刻を設定することによりその時刻に自動的に炊飯が開始されるものであり、１２時間表示の時刻を設定することができるので最長１２時間先までの予約炊飯が可能である。なお、予約時刻設定ダイヤル１４は回転式のディジタルスイッチで構成され回転角度に応じてビットデータを後記するマイクロコンピュータ３０８に入力する。
【００１５】
１３は保温キーで、ご飯を保温するときに操作するものである。１５は切キーである。１６は炊飯ランプで炊飯キー１１に設けられており炊飯動作を開始すると点灯するものである。１７は予約ランプで予約キー１２に設けられており予約炊飯動作中に点灯するものである。１８は保温ランプで保温キー１３に設けられており保温動作中に点灯する。
【００１６】
図３は制御手段９の回路ブロック図であり、３０１は操作キーで、操作部８の炊飯キー１１，予約キー１２，保温キー１３，切キー１５等の操作キーを表している。３０２はランプで操作部８の炊飯ランプ１６，予約ランプ１７，保温ランプ１８等のランプを表している。３０３は加熱手段で、内鍋２を誘導加熱する底誘導加熱手段６や側面誘導加熱手段７を表している。３０６は電波受信手段で、電波により現在時刻情報を受信するものであり、電波時計として長波で送信される標準電波を受信し、標準電波の受信データである時計情報を後記するマイクロコンピュータ３０８で解読している。３０７は電源回路で、商用電源に接続し制御手段９の各部に電源を供給している。
【００１７】
３０８はマイクロコンピュータで、操作キー３０１や予約時刻設定ダイヤル１４からの操作情報を入力し、ランプ３０２の点灯を制御するとともに加熱手段３０３を制御して内釜２を誘導加熱し、温度センサ１０の温度情報から内釜２の温度を自動的に調節して炊飯を行う。また、電波受信手段３０６からの標準電波の受信データを入力し現在時刻の時計情報を解読し予約時刻設定ダイヤル１４によって設定された予約時刻に炊飯を開始する制御を行う。
【００１８】
次に、以上の構成による制御手段９の予約炊飯時における動作を図４のフローチャートにより説明する。まず４０１で炊飯器の電源回路３０７を商用電源に接続してマイクロコンピュータ３０８を待機状態になる。待機状態で予約キー１２が押されると、炊飯キー
１１の炊飯ランプ１６が点滅し、予約時刻設定モードに切り替えられ、予約時刻設定ダイヤル１４を回して炊飯を開始したい時刻にセットし炊飯キー１１が押されると、予約キー１２の予約ランプ１７が点灯し、炊飯キー１１の炊飯ランプ１６が消灯して予約炊飯動作となり４０３に移行する。予約炊飯の取り消しは、切キー１５を押せば炊飯キー１１の炊飯ランプ１６が消灯し予約炊飯が取り消されＥＮＤ４０６に移行し、再度待機モードになる。
【００１９】
４０３では電波受信手段３０６の受信データから現在時刻情報を解読処理し、４０４で現在の時刻と４０２で設定した予約時刻を比較し、一致または予約時刻を過ぎたら４０５の炊飯開始動作を行い、一致しなければ再度電波受信処理４０３を実行し現在時刻と予約時刻を常時比較する。４０４で現在時刻が予約時刻と一致又は過ぎたと判断したら４０５に移行し、予約キー１２の予約ランプ１７を消灯し、炊飯キー１１の炊飯ランプ１６を点灯させ、加熱手段３０３を制御して内釜２を誘導加熱するとともに温度センサ１０の温度情報から内釜２の温度を自動的に調節して炊飯を行う。ご飯が炊けたら炊飯キー１１の炊飯ランプ１６を消灯し、保温キー１３の保温ランプ１８を点灯し、温度センサ１０の入力により加熱手段３０３を制御してご飯を適温に保温する。
【００２０】
なお、上記実施例では予約した時刻で炊飯を開始するように制御したが、予約した時刻で炊き上がるように加熱手段３０３を制御しても良い。
【００２１】
また、予約時刻設定ダイヤル１４は回転式ディジタルスイッチで構成したが、特にこれに限定されることはない。例えばスライド式のディジタルスイッチの構成であってもよく、またディジタルスイッチでなく可変抵抗器の抵抗変化を電圧に変換し、Ａ／Ｄ変換器を介してマイクロコンピュータ３０８に入力するような構成であっても良く、要は時刻表示された目盛りにつまみを操作して合わせ、設定した予約炊飯時刻が判別することができる入力装置であればなんでも良い。
【００２２】
このように、電波受信手段３０６による現在時刻情報と予約時刻設定ダイヤル１４で設定された予約時刻を常時比較して、予約時刻に達したら炊飯を開始するように加熱手段
３０３が制御されるため、煩雑な現在時刻の修正操作や予約時刻の設定操作をキー操作する必要が無く、簡単で使い易いものにすることができる。
【００２３】
また、電波受信手段３０６と予約時刻設定ダイヤル１４を設けたことにより、時刻を表示する表示手段を設けなくとも予約炊飯が可能となるため、制御回路が簡単になり、コスト低減ができる。
【図面の簡単な説明】
【００２４】
【図１】本発明の一実施例を示す炊飯器の縦断面図である。
【図２】同じく炊飯器の操作部正面図である。
【図３】同じく炊飯器の制御手段のブロック図である。
【図４】同じく予約炊飯動作における炊飯開始制御手順を説明するフローチャートである。
【符号の説明】
【００２５】
９…制御手段、１２…予約キー、１４…予約時刻設定ダイヤル、３０３…加熱手段、
３０６…電波受信手段。
【図１】
2007215888.tif 000003
【図２】
2007215888.tif 000004
【図３】
2007215888.tif 000005
【図４】
2007215888.tif 000006